(57)【要約】【課題】本発明は、家畜の種類に対応でき、夏季の暑さ対策に有効な畜舎用換気送風システムを提供することを目的とするものである。【解決手段】畜舎１の一方の壁面に換気扇３と、換気扇３を設置した反対側の壁面に吸込口４を設け、換気扇３及び吸込口４の最下部よりもさらに下方において、他方の壁面から一方の壁面に床面と水平で空気を導く送風機５〜７を備え、送風機５〜７の給気口及び排気口の下端を畜舎１内の家畜２の頭の高さと同一または頭の高さよりも高い位置に設けた畜舎用換気送風システム。【選択図】図１
2017172851.tif 000002
【特許請求の範囲】
【請求項１】
畜舎の一方の壁面に設けられ換気口を有する換気扇と、
前記一方の壁面に対抗する他方の壁面に設けられた吸込口と、
前記換気口および前記吸込口の最下部よりもさらに下方に設けられ、前記他方の壁面から前記一方の壁面に空気を導く送風機と、を備え、
前記送風機の給気口及び排気口の下端を前記畜舎内の家畜の頭の高さと同一または頭の高さよりも高い位置に設けた畜舎用換気送風システム。
【請求項２】
前記送風機は、
鉛直上下方向への高さ調整手段を設けた請求項１に記載の畜舎用換気送風システム。
【請求項３】
前記換気扇及び前記送風機を１又は複数備えた請求項１または２記載の畜舎用換気送風システム。
【発明の詳細な説明】
【技術分野】
【０００１】
本発明は、畜舎用換気送風システムに関するものである。
【背景技術】
【０００２】
従来、この種の畜舎に用いられる畜舎用換気については、例えば特許文献１のような換気装置や、特許文献２のような畜舎換気方法が考えられている。
【０００３】
特許文献１の換気装置においては、図２に示すように、畜舎１０１内は一般的に長方形になっており、その短辺側の壁面に、畜舎内の空気を外部に送風するファン１０２が複数台設置されている。ファン１０２が設置されている壁面とは反対側壁面には、畜舎１０１内に外気を供給するための外気吸込口１０３が設けられている。畜舎１０１内には、複数の温度センサー１０４ａ〜ｃが備えられており、この温度センサー１０４で検知された温度が高い場合には、換気扇１０２の回転数を上げ、検知された温度が低い場合には、換気扇１０２の回転数を下げるものが開示されている。
【０００４】
また、引用文献２には、畜舎１０１内に複数の送風ファンを設置し、同時に運転させることにより、１つの送風ファンの近傍に滞留する畜舎内空気を、次の送風ファンへ送り、次の送風ファンは畜舎の外部に送風する畜舎の換気方法が開示されている。
【先行技術文献】
【特許文献】
【０００５】
【特許文献１】特開２００６−１７４７９１号公報
【特許文献２】特開平３―１９１２４２号公報
【発明の概要】
【発明が解決しようとする課題】
【０００６】
上記従来例では、家畜の飼育に適正な畜舎内風速を得るために、非常に多くの換気扇を設置する必要があり、設備が多くなるという問題点を有していた。
【０００７】
例えば、家畜が鶏（ブイロラー）である場合、飼育管理として、鶏の体感温度は、生後１〜１４日令では、２６〜３２℃で気流は無し、１５〜３５日令では、１９〜２６℃で気流の風速は１ｍ／ｓ以上、３６日令以上では、１８〜１９℃で気流は風速１ｍ／ｓ以上で飼育する必要があることが一般的に知られている。特に、成長した鶏である３６日令〜出荷まで（約５０日令）は暑さに弱いため、畜舎内温度が高い場合は、鶏の体感温度を下げるために風速３ｍ／ｓの気流を発生させなければならない。一般的な鶏用の畜舎（敷地が１０×４５ｍの約１５０坪で、平均高さ３ｍ）で計算すると、畜舎内で気流の３ｍ／ｓを得るためには、５４００ｍ３／ｍｉｎの風量が必要であり、一般的な３００ｍ３／ｍｉｎの換気扇に換算すると１８台必要になる。
【０００８】
一方、成長した鶏に対しては、畜舎内温度が適温であれば、酸素、二酸化炭素、アンモニアなどの臭気を含め、最適な空気環境を得るために、換気回数３０回／ｈを行う必要があり、上記の一般的な鶏用の畜舎で必要な最低換気量は、６７５ｍ３／ｍｉｎである。すなわち、最低換気量で考えると、上記風速３ｍ／ｓを得るための換気扇の台数と比較すると、１／８の台数（２台程度）になる。
【０００９】
また、換気扇の設置面積よりも、鶏用の畜舎内の断面積が広いため、畜舎内での風速のバラツキが大きくなるという問題点を有していた。また、雛の段階や冬季では畜舎内を暖房する必要があるが、換気扇の台数が必要以上に多くなることによって、換気扇が運転していない状態であっても、換気扇の開口部の隙間から自然換気されてしまい、必要以上の暖房を行わなければならないという問題点を有していた。
【００１０】
そこで本発明では、畜舎内での最低換気量を維持し、かつ、家畜に最適な気流を与えることができる畜舎用換気送風システムを提供することを目的とする。
【課題を解決するための手段】
【００１１】
そして、この目的を達成するために、本発明は、畜舎の一方の壁面に設けられ換気口を有する換気扇と、前記一方の壁面に対抗する他方の壁面に設けられた吸込口と、前記換気口および前記吸込口の最下部よりもさらに下方に設けられ、前記他方の壁面から前記一方の壁面に空気を導く送風機と、を備え、前記送風機の給気口及び排気口の下端を前記畜舎内の家畜の頭の高さと同一または頭の高さよりも高い位置に設けたことにより所期の目的を達成するものである。
【発明の効果】
【００１２】
以上のように本発明は、最低換気量を維持するための換気扇と、家畜近傍の温度もしくは家畜の体温を下げるための送風機と設けることにより、家畜にとって有効な風速を得ることができ、かつ畜舎内全体で、一様で均一な風速を得ることができる畜舎用換気送風システムを提供することができるものである。
【００１３】
すなわち、送風機の畜舎の床面からの高さを、家畜の頭上（身長）とし、その高さにおいて送風機で水平に吹き出し、もう一方の送風機で同等の風速で吸い込むことで、家畜の頭上の高さで、設定した風速を得ることができる。
【００１４】
また、送風機の高さを家畜の種類や成長に合わせて、上下に調整できる高さ調整手段を設けることにより、常に家畜の頭上に適切な風速を与えることができる畜舎用換気送風システムを提供できるものである。
【００１５】
このように、家畜の種類に対応でき、夏季の暑さ対策に有効な畜舎用換気送風システムを提供することができる。
【図面の簡単な説明】
【００１６】
【図１】本発明の実施の形態１の畜舎用換気送風機を示す概略図
【図２】従来の畜舎用換気送風機を示す概略図
【発明を実施するための形態】
【００１７】
本発明の請求項１に係る畜舎用換気送風システムは、畜舎の一方の壁面に設けられ換気口を有する換気扇と、前記一方の壁面に対抗する他方の壁面に設けられた吸込口と、前記換気口および前記吸込口の最下部よりもさらに下方に設けられ、前記他方の壁面から前記一方の壁面に空気を導く送風機と、を備え、前記送風機の給気口及び排気口の下端を前記畜舎内の家畜の頭の高さと同一または頭の高さよりも高い位置に設けたことを特徴とするものである。
【００１８】
これにより、酸素濃度、二酸化炭素濃度、アンモニアなどの臭気を一定の濃度に維持するために必要な換気量は、換気扇で確保し、特に夏季など暑い日に、家畜の体感温度を下げるために必要な気流は、換気口および吸込口の最下部よりもさらに下方に設けられ、他方の壁面から一方の壁面に空気を導く送風機の高さを家畜の頭上高さに合わせることで、家畜にとって有効な、風速を得ることができ、かつ畜舎内全体で、一様で均一な風速を得ることが実施できる畜舎用換気送風システムを提供することができる。
【００１９】
また、前記送風機は、鉛直上下方向への高さ調整手段を設ける構成としてもよい。
【００２０】
これにより、家畜の成長に合わせて送風機の送風位置を変更できるため、畜舎内を家畜の成長に合わせた適切な温度管理等が容易にできる畜舎用換気送風システムを提供できる。
壁と壁の距離が長く、気流が届きにくい場合であっても、間に送風機を設けることで、畜舎内全体で、均一の風速を得ることができる畜舎用換気送風システムを提供できる。
【００２１】
また、前記換気扇及び前記送風機を１又は複数備える構成としてもよい。
【００２２】
これにより、畜舎内を適切な温度にすることができる畜舎用換気送風システムを提供できる。
（実施の形態１）
以下、本発明の実施の形態について、図面を参照しながら説明する。
【００２３】
図１は、本発明に係る鶏用の畜舎用換気送風システムの構成を示す。
【００２４】
図１に示すように、畜舎用換気送風システムは、家畜（鶏）２が飼育されている畜舎１の一方の壁面に、換気扇３が畜舎内の床面から１．５〜２ｍ程度の高さに複数台配設されおり、換気扇３が配設されている壁面と対向する反対側壁面（他方の壁面）に、吸込口４が床面から１．５〜２ｍ程度の高さに配設されている。換気扇３は、畜舎１内の空気を外部に排出するように動作している。したがって、換気扇３を動作すると、換気扇３は他方の壁面に設けられた吸込口４から外気を取り込み、畜舎１内をほぼ真直ぐに通風して、換気扇３によって畜舎外に排出されることにより、畜舎内が換気される。
【００２５】
さらに、畜舎用換気送風システムは、吸込口４の近傍で、床面から１５ｃｍ〜１ｍ程度の高さに設置された送風機５と、換気扇３の近傍で、床面から１５ｃｍ〜１ｍ程度の高さに設置された送風機６とを備えている。
【００２６】
吸込口４の近傍の送風機５は、送風機５より上方に配設されている畜舎１の吸込口４から空気を吸い込み、一方の壁面方向にある送風機６に向かって床面に対して水平に送風を行う。
【００２７】
換気扇３の近傍の送風機６は、他方の壁面方向にある送風機５から送風されてくる空気を吸い込み、送風機６より上方に配設されている畜舎１の換気扇３へ送風を行う。また、本実施の形態では、送風機５と送風機６の間に、送風の中継用として、送風機７を設置し、吸込口４の近傍の送風機５から送風された空気を、換気扇３の近傍の送風機６に向かって床面に対して水平に送風している。なお、中継用の送風機７は、適切な風量を維持できるように設置されていれば良く、複数個設置されていても良い。なお、送風機５乃至７は、同軸上に吸気口と排気口を備え、吸気口から吸気した空気を排気口から排出し、直線的な送風を行っている。
【００２８】
また、送風機５乃至７のそれぞれには、床面からの高さを調整できる高さ調整手段が設けられている。この高さ調整手段は、ジャッキ等の手動もしくは自動で上下できるものである。本実施の形態では、送風機５乃至７が設置される高さは、家畜の頭上の高さに合わせて設置されており、具体的には、成長した鶏の身長であれば、約３０ｃｍであるため、送風機の吸気口及び排気口の下端を、床面から３０ｃｍの高さもしくは、それよりも少し高い位置（例えば３１〜５０ｃｍ程度）に設定し、送風を行うように設定されている。なお、送風機５乃至７は、床面から３０ｃｍの高さにおいて、風速３ｍ／ｓを発生できる送風機である。
【００２９】
ここで、畜舎用換気送風システムの動作について説明する。
【００３０】
換気扇３を運転することで、吸込口４から外気が流入し、換気扇３から畜舎１内空気が排出され、換気される。基本的な換気量としては、飼育されている家畜の種類、成長度合いによって、最低必要な酸素濃度、もしくは二酸化炭素濃度の上限値が決まっており、その濃度を確保するための換気量から、必要な換気扇の種類と台数を選定し設置される。
【００３１】
さらに、吸込口４の近傍に配置された送風機５は、送風機５より上方に配設されている畜舎１の吸込口４から空気を吸い込み、一方の壁面方向にある送風機６に向かって床面に対して水平に送風を行う。また、送風機７は、吸込口４の近傍の送風機５から送風された空気を、換気扇３の近傍の送風機６に向かって床面に対して水平に送風している。また、換気扇３の近傍の送風機６は、他方の壁面方向にある送風機７から送風されてくる空気を、送風機６より上方に配設されている畜舎１の換気扇３へ送風を行う。
【００３２】
このような畜舎用換気送風システムは、換気扇３、吸込口４、送風機５乃至７及び送風機に備えた風速と温度が測定できるセンサー９ａ〜ｃを集中的に管理制御する制御部１０を設けて、様々な状態を管理する。なお、制御部１０は、ＣＰＵ、メモリ記憶装置、ディスプレイ、及びキーボード等から構成されている。また、制御部１０は、図示しないが、無線接続または有線接続により、換気扇３、吸込口４、送風機５〜７、高さ調整手段８、及びセンサー９ａ〜ｃと接続されている。なお、制御部１０は、畜舎１以外の場所に設置されているものとする。
【００３３】
例えば、家畜が鶏（ブイロラー）である場合、生後１〜１４日令では、２６〜３２℃で気流が無い状態が最適であり、制御部１０は、送風機５乃至７を動作させず、吸込口４の開口量の自動調整し、複数の換気扇３のうちの一部の換気扇３のみを動作させる制御を指示することにより、畜舎１内の温度を２６〜３２℃に維持管理する。なお、吸込口４と一部の換気扇３だけの換気の場合、畜舎１の床面近辺には、ほとんど風が流れない。
【００３４】
また、１５〜３５日令では、１９〜２６℃で気流の風速は１ｍ／ｓ以上の状態が最適であり、制御部１０は、高さ調整手段８により、送風機５乃至７を１５ｃｍ程度の高さに自動調整し、風速１ｍ／ｓ程度で動作するように制御を指示する。この場合には、送風機５乃至７にセンサー９ａ〜ｃを備えることで、１５ｃｍ程度の高さにおいて１９〜２６℃になるように、吸込口４の開口量と、換気扇３の動作を制御する。
【００３５】
また、成長した鶏である３６日令〜出荷（約５０日令）は、１８〜１９℃で気流は風速１ｍ／ｓ以上の状態が最適であり、制御部１０は、高さ調整手段８により、送風機５乃至７を３０ｃｍ程度の高さに自動調整し、風速１ｍ／ｓ程度で動作するように制御を指示する。この場合には、送風機５乃至７にセンサー９ａ〜ｃを備えることで、３０ｃｍ程度の高さにおいて１９〜２６℃になるように、吸込口４の開口量と、換気扇３の動作を制御する。しかし、３６日令〜出荷（約５０日令）の成長した鶏は、暑さに弱いため、吸込口４の開口量と換気扇３の動作だけでは３０ｃｍ程度の高さにおいて１９〜２６℃にならない場合（例えば、真夏）に、鶏の体感温度を下げるために、送風機５乃至７を風速３ｍ／ｓ程度で動作するように制御する。なお、送風機５乃至７で発生する気流は一定ではなく、間欠動作させるように制御してもよい。また、送風機５、送風機６、送風機７を個別に風量調整し、連動させるように制御してもよい。
【００３６】
さらに、成長した鶏に対しては、畜舎１内温度が適温であれば、酸素、二酸化炭素、アンモニアなどの臭気を含め、最適な空気環境を得るために、換気回数３０回／ｈを行う必要があり、この場合、一般的な鶏用の畜舎で必要な最低換気量は、６７５ｍ３／ｍｉｎであるため、一般的な換気扇を２台程度分の風量を生成するだけの換気扇３を動作するように制御する。
【００３７】
以上に本実施の形態を説明したが、本実施の形態に限るものではなく、送風機５乃至７を、図示していないが、畜舎１の壁の幅方向（図１における奥行き方向）に複数台設置して、畜舎１の敷地面積において一様に均一な気流を得るようにすることが望ましい。
【００３８】
また、実施の形態では、送風機５より上方に配設されている畜舎１の吸込口４から空気を吸い込み、送風機６より上方に配設されている畜舎１の換気扇３へ送風を行う構成としているが、送風機５及び６を直接畜舎１の壁面に設置し、直接外気を吸い込み、直接畜舎１の外に排気するようにしても良い。
【００３９】
また、送風機５と送風機６の間に送風機７を設けているが、畜舎１の壁と壁の距離が短い場合は、送風機７は不要であり、距離が長い場合や送風機の性能によっては、更に送風機７を複数台設けても良い。
【００４０】
また、本実施の形態では家畜を鶏として説明したが、家畜の種類としては複数あり、鶏以外の豚や牛もそれぞれの頭上の高さに送風機を設置することで同様の効果を奏することができる。
【産業上の利用可能性】
【００４１】
以上のように本発明にかかる畜舎用換気送風システムは、家畜の体温を効果的に下げ、家畜の最適な気流を畜舎内一様でかつ均一に提供でき、かつ家畜の成長度合いに応じた対応もできるので、畜舎用換気送風システムとして有用である。
【符号の説明】
【００４２】
１    畜舎
２    家畜
３    換気扇
４    吸込口
５    送風機
６    送風機
７    送風機
８    高さ調整手段
９ａ，９ｂ，９ｃ    センサー
１０    制御部
【図１】
2017172851.tif 000003
【図２】
2017172851.tif 000004